(57)【要約】　　　（修正有）【課題】転倒の危険がなくドレス、洋服などの収納数の大きい薄型ワードローブを提供する。【解決手段】扉１にキャスター２が取り付けられ、かつ、ハンガーを吊るすバー５が、天板内側に設けられたスライドレールにより前後（奥行き方向）にスライドできるスライド板または上部棚が設けられている場合は、前後にスライドできるようにした棚板３の下側に奥行き方向に取り付けられていることを特徴とする薄型ワードローブ、及びこのような薄型ワードローブであって、下側に該ハンガー用バーが取り付けられている円板４が該スライド板または該棚板の下側に回転可能に取付けられていることを特徴とするもの。【選択図】　図１
0003098927.tif 000002
【実用新案登録請求の範囲】
【請求項１】
扉にキャスターが取り付けられ、かつ、ハンガーを吊るすバーが、天板内側に設けられた前後（奥行き方向）にスライドできるスライド板の下側にまたは上部棚が設けられている場合は前後にスライドできるようにしたその棚板の下側に奥行き方向に取り付けられていることを特徴とする薄型ワードローブ。
【請求項２】
下側に該ハンガーを吊るすバーが取り付けられている円板が該スライド板または該棚板の下側に回転可能に取付けられていることを特徴とする請求項１記載のワードローブ。
【考案の詳細な説明】
【０００１】
【考案の属する技術分野】
本考案は、ワードローブ、更に詳しくは、扉にキャスターが取り付けられ、かつ、ハンガーを吊るすバーが、天板内側に設けられた前後（奥行き方向）にスライドできるスライド板の下側にまたは上部棚が設けられている場合は前後にスライドできるようにしたその棚板の下側に奥行き方向に取り付けられていることを特徴とする薄型ワードローブ、及びこのような薄型ワードローブであって、下側に該ハンガーを吊るすバー（ハンガー用バー）が取り付けられている円板（回転板）が該スライド板または該棚板の下側に回転可能に取付けられていることを特徴とするものに関する。
【０００２】
【従来の技術】
近年の狭隘な住宅事情やインテリアの美的観点からワードローブ（洋服ダンス）の薄型化が求められている。
【０００３】
ワードローブは、通常、両開きの扉を有し、場合により、天板の下側に帽子などの小物を収納するためのスペースが形成されるように棚（上部棚）が設けられ、また場合により、底板の上側にも靴など履物を収納するためのスペースが形成されるように棚（下部棚）が設けられ、そして上部棚が設けられている場合はその棚板の下側に、上部棚が設けられていない場合は天板の内側にハンガー用バーが間口方向に設けられている構造を有する。
【０００４】
しかしながら、このような構造では、ドレス、洋服など（以下、「ドレス、洋服など」を単に「ドレス」と言う）を掛けたハンガーがバーに吊るされた状態（使用中のハンガー）を考えると、ワードローブの奥行きは少なくともドレスを掛けた状態でのハンガーの幅（ハンガーの使用幅）だけ必要となり、薄型化したくとも、このような制限がある。
【０００５】
また、従来、薄型ワードローブで、ハンガーを吊るすバー（金具）を前に出てくるように、すなわち、奥行き方向にスライドするように設けたものもあるが、金具が材質上脆弱になりがちであり、それと相俟ってドレスの収納数が少なくならざるを得ない。
【０００６】
また、薄型化すると、容易に理解されるように、扉を開けて収納してあったドレスを取り出すときにワードローブが手前に転倒しかねず、極めて危険である。
【０００７】
【考案が解決しようとする課題】
前項記載の従来技術の背景下に、本考案の目的は、前記欠点を免れ、また単に前記欠点を免れたにとどまらず、更には改善された薄型ワードローブを提供することにある。
【０００８】
【課題を解決するための手段】
本考案者は、前項記載の目的を達成すべく鋭意検討の結果、薄型ワードローブを、その扉にキャスターを取付け、かつ、天板内側に前後にスライドできるスライド板を設け、または上部棚が設けられている場合はその上部棚板を前後にスライドできるようにし、加えてこのスライド板または棚板の下側に奥行き方向にハンガー用バーを取り付ける構造とすることにより、奥行きの浅い薄型ワードローブであっても転倒の危険がなく、しかもドレスなどの収納枚数を薄型の割には大きくできること、さらに、このような構造に加えて、ハンガー用バーを円板を介してスライド板または棚板の下側に取り付ける、すなわち、下側に該ハンガー用バーが取り付けられている円板をスライド板または棚板の下側に回転可能に取り付ける構造とすることにより薄型ワードローブの使い勝手を顕著に向上させることができることを見出し、このような知見に基づいて本考案を完成した。
【０００９】
すなわち、本考案は、扉にキャスターが取り付けられ、かつ、ハンガーを吊るすバーが、前後（奥行き方向）にスライドできるスライド板の下側にまたは上部棚が設けられている場合は前後にスライドできるようにしたその棚板の下側に奥行き方向に取り付けられていることを特徴とする薄型ワードローブ（本考案の第一の態様）、及びこのような薄型ワードローブであって、下側に該ハンガー用バーが取り付けられている円板が該スライド板または該棚板の下側に回転可能に取付けられていることを特徴とするもの（本考案の第二の態様）に関する。
【００１０】
【考案の実施の形態】
以下、本考案を詳細に説明する。
【００１１】
先ず、本考案の第一の態様について説明する。
【００１２】
従来のワードローブの奥行きは通常６００ｍ／ｍであるが、部屋の空間を広くしたいため奥行きを整理タンスと共通の４５０ｍ／ｍに持って行くと、このように薄型にしたワードローブはそのままでは扉を開くと扉の重みなどで転倒する危険がある。そこで、本考案では下部にキャスターを取り付け転倒を防ぐ。
【００１３】
このように扉にキャスターを取り付ける目的は、扉を開けただけで、あるいは扉を開けて収納してあったドレスなどを取り出すときにワードローブが手前に転倒するのを防止するためであるので、キャスターは両扉に取り付けることは言うまでもなく、扉における取り付け部位も扉の回転軸からなるべく遠い部位がよい。
【００１４】
もっとも、このような転倒の防止にワードローブの扉にキャスターを取り付けること、それ自体は既に知られている。これと組み合わせて、本考案では、ワードローブの天板の内側に前後にスライドするスライド板を設け、または上部棚のある場合はその棚板を前後にスライドできる構造とし、このスライド板または棚板の下側にハンガー用バーが奥行き方向に取り付けられている。スライド板または棚板を前後にスライドさせるには特別の制限はなく、例えばスライドレールを使用することによることができる。また、ハンガー用バーは、例えば服吊りソケットを介してスライド板または棚板の下側に取り付けられ、その位置はワードローブの両側壁から等距離に置かれるのが好ましいことはいうまでもない。
【００１５】
また、先に説明したように、従来は奥行き４００ｍ／ｍのワードローブでは、ドレスを吊るハンガーをかける金具そのものが前に出てくる方法であるため洋服の収納数が少なく、なおかつその金具が脆弱になりがちであった。そこで、本考案では、ハンガーをかける金具は移動せず、それを取り付けたスライド板または棚板が前に出てくるようにするためスライド板または棚板に、例えばスライドレールをつけてスライド板または棚板ごと前に引き出す構造としてある。
【００１６】
このワードローブにドレスをハンガーに掛けて収納するとき、ハンガー用バーは奥行き方向になっているので、ワードローブの間口はハンガーの使用幅があれば足りる。
【００１７】
本考案の第一の態様にかかわる薄型ワードローブにドレスを収納するとき、または収納してあったドレスを取り出すとき、必要に応じてスライド板または棚板を引き出して作業をすると、当該ハンガーを吊るす位置を決めたり、取り出すドレスを決めたりするのが容易になる。
【００１８】
次に、本考案の第二の態様について説明する。
【００１９】
先に説明したように、本考案の第二の態様は、本考案の第一の態様におけるスライド板または前後にスライドできるようにした棚板の下側におけるハンガー用バーの取り付けを、スライド板または棚板の下側に回転可能に取り付けられた円板（回転板）を介して行なうものである。
【００２０】
本考案の第一の態様では、スライド板または棚板を引き出してドレスを取り外す際手前までドレスがつまっていると奥のものを取り出すのが困難であり、また収納してあるものがみにくいので、それを解決するためにハンガー用バーを取付けたスライド板または棚板を引き出すが、この問題をより容易に解決するために本考案の第二の態様では、引き出したバーを回転して収納してあるものが一目瞭然わかり、なおかつ取り外しもより楽になる構造としてある。
【００２１】
この円板（回転板）のサイズは、直径をハンガー用バーの長さ、従ってワードローブの奥行きと同じにすることができる。なお、スライド板または棚板の奥行きよりは若干大きくすると、回転板の周囲がスライド板または棚板の前端からその分だけはみ出し、そのはみ出し部分に手を当てて回転させることで回転させることが容易になる。円板の材質は、木製などワードローブ本体の材質と同じものとすることができるが、ドレスを掛けたハンガーをハンガー用バーに吊るして収納したときに、その重量に耐え得るものであれば強化プラスチックなどの異なる材質であってもよい。
【００２２】
円板をスライド板または棚板の下側に回転可能に取り付けるにも特別の制限はなく、例えばアルミニウム製のいわゆる「アルミ回転盤」によることができる。また、この円板の下側にハンガー用バーを取り付けるにも特別の制限はなく、先に説明したスライド板または棚板の下側に取り付ける場合と同じく、例えば服吊りソケットを使用して行なうことができる。
【００２３】
本考案の第二の態様に係わる薄型ワードローブにドレスを収納するとき、または収納してあったドレスを取り出すときは、スライド板または棚板を引き出し、回転板をハンガー用バーが間口方向の位置になるまで回転させて作業をすると作業が極めて容易になることは容易に理解することができる。
【００２４】
以下、図面を参照して本考案をさらに説明する。
【００２５】
後掲図１に、上部棚の設けられている本考案の第二の態様に係わる薄型ワードローブを扉を開き、そして棚板を円板を回転させる位置まで引き出した状態で示す。図２および図３に、上部棚のない本考案の第二の態様に係わる薄型ワードローブを同じく扉を開き、そしてスライド板を円板を回転させる位置まで引出した状態で示す。図２と図３とは円板の回転の程度が異なり、それによってハンガー用バーの見え方が異なる。
【００２６】
本考案の第一の態様に係わる薄型ワードローブは、図１において回転板４がなくて、ハンガー用バー５が直接スライド板または棚板３の下側に取り付けられている。
【００２７】
【考案の効果】
本考案によれば、転倒の危険のない、しかもドレス、洋服などの収納数が多くて、それらの収納取り出しに便利な薄型ワードローブが容易に提供される。
【図面の簡単な説明】
【図１】本考案の第二の態様に係わる、上部棚を有する薄型ワードローブを示す。
【図２】本考案の第二の態様に係わる、上部棚のない薄型ワードローブを示す。
【図３】本考案の第二の態様に係わる、上部棚のない薄型ワードローブを示す。
【符号の説明】
１．扉
２．キャスター
３．前後にスライドできる棚板またはスライド板
４．円板（回転板）
５．ハンガー用バー
【図１】
0003098927.tif 000003
【図２】
0003098927.tif 000004
【図３】
0003098927.tif 000005